(57)【要約】【課題】軒樋から集水箱にかかる落葉等による詰まりを下方から解消する。【解決手段】樋用エルボ部材は、軒樋１２に設けられる集水箱１４の底部に形成された排水口１４ｂに下方から取付けられる入口部２２と、下り勾配の呼び樋１６の上流側端部が取付けられる出口部２３と、入口部と出口部を連結する屈曲部２４とを有するエルボ本体２１と、入口部に臨む屈曲部に形成された挿通孔２４ｆと、挿通孔に上下動可能に挿通され上部が入口部を貫通する棒状部材と、棒状部材２７に取付けられ挿通孔を閉塞させる閉塞部材２８とを備える。屈曲部の入口部に臨む底壁２４ｄに上方に向かう膨出部２６が形成され、膨出部２６に挿通孔２４ｆが形成され、閉塞部材２８が膨出部２６を上側から覆うキャップ状に形成される。膨出部２６の周囲に排出孔２６ｂが形成され、膨出部２６を上側から覆う閉塞部材２８が排出孔２６ｂを封止可能に構成される。【選択図】  図１
2006169944.tif 000002
【特許請求の範囲】
【請求項１】
軒樋(12)に設けられる集水箱(14)の底部に形成された排水口(14b)に下方から取付けられる入口部(22)と、下り勾配の呼び樋(16)の上流側端部が取付けられる出口部(23)と、前記入口部(22)と前記出口部(23)を連結する屈曲部(24)とを有するエルボ本体(21)と、
前記入口部(22)に臨む前記屈曲部(24)に形成された挿通孔(24f)と、
前記挿通孔(24f)に上下動可能に挿通され上部が前記入口部(22)を貫通する棒状部材(27)と、
前記棒状部材(27)に取付けられ前記挿通孔(24f)を閉塞する閉塞部材(28)と
を備えた樋用エルボ部材。
【請求項２】
周囲が入口部(22)の内面又は排水口(14b)の内面に臨む掻き取り材(29)が棒状部材(27)に設けられた請求項１記載の樋用エルボ部材。
【請求項３】
屈曲部(24)の入口部(22)に臨む底壁(24d)に上方に向かう膨出部(26)が形成され、前記膨出部(26)に挿通孔(24f)が形成され、閉塞部材(28)が前記膨出部(26)を上側から覆うキャップ状に形成された請求項１又は２記載の樋用エルボ部材。
【請求項４】
膨出部(26)の周囲に排出孔(26b)が形成され、前記膨出部(26)を上側から覆う閉塞部材(28)が前記排出孔(26b)を封止可能に構成された請求項３記載の樋用エルボ部材。
【請求項５】
集水箱(14)が包囲する軒樋(12)に形成された通水口(12a)を塞ぐ濾過部材(33)が棒状部材(27)の上部に設けられ、前記濾過部材(33)は前記軒樋(12)から前記通水口(12a)を介して前記集水箱(14)に落下する雨水を濾過可能に構成された請求項１ないし４いずれか１項に記載の樋用エルボ部材。
【請求項６】
請求項１ないし５いずれか１項に記載された樋用エルボ部材(20)の棒状部材(27)を上下動させる操作治具(40)であって、
前記棒状部材(27)の下部に設けられた操作部(31)に係合可能に構成された係合部材(44)が上端に設けられた操作棒(41)と、
下部に把持部(42a)が形成された把持棒(42)と、
一端が前記操作棒(41)の下部に取付けられ他端が前記把持棒(42)の上部に取付けられて前記操作棒(41)と前記把持棒(42)とを連結しかつ一端が他端より低位にある連結部材(43)と
を備えたことを特徴とする操作治具。
【請求項７】
軒樋(12)に設けられた集水箱(14)と、
前記集水箱(14)に下方から取付けられた請求項５記載の樋用エルボ部材(20)と、
前記軒樋(12)に形成された通水口(12a)を塞いだ前記樋用エルボ部材(20)の濾過部材(33,73)に上方から対向するように前記集水箱(14)又は前記軒樋(12)に取付けられ前記樋用エルボ部材(20)の棒状部材(27)を上昇させたときに前記棒状部材(27)とともに上昇する前記濾過部材(33,73)の濾過孔(73a)又は濾過用切欠き(73b)若しくは溝に進入可能な進入片(62,72)と  を備えた集水装置。
【発明の詳細な説明】
【技術分野】
【０００１】
本発明は、軒樋に設けられた集水箱に下方から取付けられ、集水箱の底部に形成された排水口を下り勾配の呼び樋の上流側端部に連結する樋用エルボ部材及びその操作治具及び集水装置に関するものである。
【背景技術】
【０００２】
従来、雨樋に集まる塵埃や木の葉等の防塵方法として、軒樋の上部開口部分や集水箱の上部開口部に網状板を設置する方法が知られている（例えば、特許文献１参照）。しかし、軒樋に網状板を被せると、網状板の上に雨水と共に流れ込み、或いは空中を浮遊した木の葉、竹の葉等が網状板に付着して張り付き、その上に土埃、砂等が堆積し雨水が軒樋に流下できなくなり、屋根からの雨水は軒樋を乗り越えて落下することとなり、結局軒樋の役目を果たさなくなる不具合があった。また集水箱の上部開口部を網状板で覆うと、軒樋に入り込んだ塵埃、木の葉等が集水箱に向かう雨水に流され、集水箱の両側部分に集まり集水箱に流れ落ちる雨水と共に集水箱に入り込んでその集水箱が詰まってしまう不具合があった。
【０００３】
この点を解消するために、集水箱への通水口を開口した軒樋の上面に所要長さ接面して固着可能な基底板を設け、この基底板に軒樋の通水口へ連通する流水口を設けて縦樋に連通させ、全体が三角形で底縁端面が基底板の上面に一体に接続し左右傾斜側端面がすくい排除面に前後面が整風排除面となるすくい排除整風排除板を設け、このすくい排除整風排除板の所要枚を基底板の上面に流水口に差し渡してなる雨樋用落葉詰まり防止装置が提案されている（例えば、特許文献２参照。）。この雨樋用落葉詰まり防止装置では、軒樋内に落葉が滞留することがあっても、雨水に対しては平面状に浮くものであり、すくい排除整風排除板の左右傾斜側端面に沿って上部に浮き、その左右傾斜側端面間を塞ぐことはなく、その落葉等は乾燥収縮して風により外に排出され、縦樋との接続付近の落葉詰まりを防止することができるとしている。
【特許文献１】特開２００１−２４１１５３号公報（図１）
【特許文献２】特開２００２−６１３５０号公報（図１）
【発明の開示】
【発明が解決しようとする課題】
【０００４】
しかし、上述した雨樋用落葉詰まり防止装置であっても、木の葉、枯れ枝、竹の葉等がすくい排除整風排除板に引っ掛かることを完全に排除することはできず、そのすくい排除整風排除板に木の葉、枯れ枝、竹の葉等が引っ掛かるとその上に土埃、砂等が堆積し、その土埃、砂等が雨水の浸透と乾燥の繰り返しによって凝固する不具合があった。そして、すくい排除整風排除板の周囲において堆積した土埃、砂等が凝固すると軒樋が詰まって、その軒樋から集水箱への雨水の流下が妨げられる問題があった。このため、この詰まりを防ぐためには、集水箱の周囲を定期的に掃除しなければならないけれども、その掃除には集水箱の上方からその詰まった木の葉等を取り出すしかなく、その集水箱が用いられた屋根に作業員が上って行うか、又は脚立若しくははしごを用いて集水箱にまで作業員が近づいて行う必要があった。しかし、二階以上の屋根に用いられている集水箱の掃除は、その場所が比較的高所のために一般人が行うことは危険が伴い、その掃除を頻繁に行うことは困難であった。
本発明の目的は、軒樋から集水箱にかかる落葉等による詰まりを下方から比較的容易に解消し得る樋用エルボ部材及びその操作治具及び集水装置を提供することにある。
【課題を解決するための手段】
【０００５】
請求項１に係る発明は、図１に示すように、軒樋１２に設けられる集水箱１４の底部に形成された排水口１４ｂに下方から取付けられる入口部２２と、下り勾配の呼び樋１６の上流側端部が取付けられる出口部２３と、入口部２２と出口部２３を連結する屈曲部２４とを有するエルボ本体２１と、入口部２２に臨む屈曲部２４に形成された挿通孔２４ｆと、挿通孔２４ｆに上下動可能に挿通され上部が入口部２２を貫通する棒状部材２７と、棒状部材２７に取付けられ挿通孔２4ｆを閉塞させる閉塞部材２８とを備えた樋用エルボ部材である。
【０００６】
この請求項１に記載された樋用エルボ部材では、屈曲部２４の底壁２４ｄに形成された挿通孔２４ｆに棒状部材２７を上下動可能に設けたので、このエルボ本体２１が下方から取付けられる集水箱１４が落ち葉等により詰まったとしても、その棒状部材２７を上下動させることによりその詰まりものを上下動する棒状部材２７により払い落とし、エルボ本体２１の入口部２２及び集水箱１４の排水口１４ｂにおける詰まりを解消することができる。そしてこの棒状部材２７の上下動は、挿通孔２４ｆに挿通された棒状部材２７のエルボ本体２１の下方に位置する下端をその下方から上下動することにより行うことができる。この結果、この樋用エルボ部材では、軒樋１２から集水箱１４にかかる落葉等による詰まりの解消をその集水箱１４の下方から行うことができる。
一方、棒状部材２７を上下動させる以外の通常の状態では、エルボ本体２１に形成された挿通孔２4ｆは閉塞部材２８により閉塞されるので、その通常の状態では、入口部２２から出口部２３に流れる雨水が棒状部材２７を挿通させた挿通孔２４ｆから外部に漏れることはない。
【０００７】
請求項２に係る発明は、請求項１に係る発明であって、周囲が入口部２２の内面又は排水口１４ｂの内面に臨む掻き取り材２９が棒状部材２７に設けられた樋用エルボ部材である。
この請求項２に記載された樋用エルボ部材では、棒状部材２７を上下動させることによりその棒状部材２７に設けられた掻き取り材２９も上下動し、掻き取り材２９の周囲が入口部２２の内面又は排水口１４ｂの内面に付着凝固した木の葉等を掻き取ってその入口部２２又は排水口１４ｂにおける詰まりを効果的に解消することができる。
【０００８】
請求項３に係る発明は、図１又は２に係る発明であって、屈曲部２４の入口部２２に臨む底壁２４ｄに上方に向かう膨出部２６が形成され、膨出部２６に挿通孔２４ｆが形成され、閉塞部材２８が膨出部２６を上側から覆うキャップ状に形成された樋用エルボ部材である。
この請求項３に記載された樋用エルボ部材では、膨出部２６をキャップ状に形成された閉塞部材２８により覆うことにより、挿通孔２4ｆをその閉塞部材２８により確実に閉塞して入口部２２から出口部２３に流れる雨水が挿通孔２４ｆから外部に漏れることを有効に防止することができる。
【０００９】
請求項４に係る発明は、請求項３に係る発明であって、膨出部２６の周囲に排出孔２６ｂが形成され、膨出部２６を上側から覆う閉塞部材２８が排出孔２６ｂを封止可能に構成された樋用エルボ部材である。
この請求項４に記載された樋用エルボ部材では、棒状部材２７を上下動させることにより掻き取られた木の葉等を排出孔２６ｂからエルボ本体２１の外部に排出させることができ、掻き取られた木の葉等の詰まりものが下流側に存在する呼び樋１６等に流れてそれらを再び詰まらせることを回避することができる。一方、この排出孔２６ｂはキャップ状の閉塞部材２８が封止するので、棒状部材２７を上下動させる以外の通常状態で入口部２２から出口部２３に流れる雨水がこの排出孔２６ｂから外部に漏れることを防止することができる。
【００１０】
請求項５に係る発明は、請求項１ないし４いずれか１項に係る発明であって、図５に示すように、集水箱１４が包囲する軒樋１２に形成された通水口１２ａを塞ぐ濾過部材３３が棒状部材２７の上部に設けられ、その濾過部材３３は軒樋１２から通水口１２ａを介して集水箱１４に落下する雨水を濾過可能に構成された樋用エルボ部材である。
この請求項５に記載された樋用エルボ部材では、濾過部材３３が通水口１２ａを塞いて軒樋１２から通水口１２ａを介して集水箱１４に落下する雨水を濾過するので、軒樋１２に流下した雨水とともに流れてくる木の葉等が通水口１２ａから集水箱１４に落下してその集水箱１４を詰まらせることを防止することができる。一方、この濾過部材３３又はこの周囲が木の葉等により詰まって軒樋１２に雨水が溜まった場合には、棒状部材２７とともに濾過部材３３を上下動させ、図６に示すように、その通水口１２ａを一時的に開放して詰まった木の葉等を溜まった雨水とともに下流側に流下させることによりその詰まりを解消させることができる。
【００１１】
請求項６に係る発明は、図４に示すように、請求項１ないし５いずれか１項に記載された樋用エルボ部材２０の棒状部材２７を上下動させる操作治具４０である。
その特徴ある構成は、棒状部材２７の下部に設けられた操作部３１に係合可能に構成された係合部材４４が上端に設けられた操作棒４１と、下部に把持部４２ａが形成された把持棒４２と、一端が操作棒４１の下部に取付けられ他端が把持棒４２の上部に取付けられて操作棒４１と把持棒４２とを連結しかつ一端が他端より低位にある連結部材４３とを備えたところにある。
この請求項６に記載された操作治具では、棒状部材２７の下部に設けられた操作部３１に係合部材４４を係合させて、把持棒４２の下部に形成された把持部４２ａを把持した作業員が集水箱１４下方の地上又は家屋の窓からその把持棒４２とともに操作棒４１を上下動させることにより樋用エルボ部材２０における棒状部材２７を上下動させることができる。これにより地上又は家屋の窓から作業員がその上方における集水箱１４における詰まりを比較的容易に解消させることができる。
【００１２】
一方、詰まりを解消させるために棒状部材２７を上下動させると挿通孔２４ｆが開放され、その挿通孔２４ｆから、膨出部２６に排出孔２６ｂを形成した場合にはこの排出孔２６ｂから雨水や木の葉等の詰まりものが外部に排出され、その全部又は一部が棒状部材２７を伝って下方に流下することになる。しかし、請求項６に記載された操作治具では、係合部材４４が上端に設けられた操作棒４１と、実際に作業員が把持する把持棒４２とを連結部材４３により連結し、その連結部材４３における操作棒４１側の一端を把持棒４２側の他端より低位にしたので、棒状部材２７を伝って流下する雨水や落ち葉等の詰まりものが操作棒４１に伝わったとしても、把持棒４２側に伝わることを防止することができる。この結果、棒状部材２７を伝って流下する雨水や落ち葉等の詰まりものが把持棒４２を介して作業員に降りかかることを有効に防止することができる。
【００１３】
請求項７に係る発明は、図１１に示すように、軒樋１２に設けられた集水箱１４と、集水箱１４に下方から取付けられた請求項５記載の樋用エルボ部材２０と、軒樋１２に形成された通水口１２ａを塞いだ樋用エルボ部材２０の濾過部材３３に上方から対向するように集水箱１４又は軒樋１２に取付けられ樋用エルボ部材２０の棒状部材２７を上昇させたときに棒状部材２７とともに上昇する濾過部材３３の濾過孔又は濾過用切欠き若しくは溝に進入可能な進入片６２を備えた集水装置である。
この請求項７に記載された集水装置では、濾過部材３３又はその周囲が木の葉等により詰まって軒樋１２に雨水が溜まった場合には、棒状部材２７とともに濾過部材３３を上昇させて軒樋１２に形成された通水口１２ａを一時的に開放することにより詰まった木の葉等を溜まった雨水とともに下流側に流下させることができる。この場合、濾過部材３３を覆った木の葉等は、濾過部材３３が上昇してその濾過部材３３の濾過孔又は濾過用切欠き若しくは溝に進入片６２が進入する際に破砕される。これによりその木の葉等が濾過部材３３における濾過孔又は濾過用切欠き若しくは溝を詰まらせた状態を解消することができる。
【発明の効果】
【００１４】
本発明の樋用エルボ部材では、エルボ本体に棒状部材を上下動可能に設けたので、このエルボ本体が下方から取付けられる集水箱が落ち葉等により詰まったとしても、その棒状部材を上下動させてその詰まりものをその棒状部材により剥離することによりその詰まりを解消することができる。そしてこの棒状部材の上下動はエルボ本体を貫通してエルボ本体の下方に位置する棒状部材の下端を上下動させることにより行うことができるので、軒樋から集水箱にかかる落葉等による詰まりの解消をその集水箱の下方から行うことが可能になる。
【００１５】
この場合、棒状部材に掻き取り材を設ければ、棒状部材とともに掻き取り材も上下動して入口部の内面又は排水口の内面に付着凝固した木の葉等を掻き取ることができる。また、集水箱が包囲する軒樋に通水口が形成されたならば、この通水口を塞いで軒樋から通水口を介して集水箱に落下する雨水を濾過する濾過部材を棒状部材の上部に設けることが好ましい。この濾過部材を設ければ、軒樋に流下した雨水とともに流れてくる木の葉等が通水口から集水箱に落下してその集水箱を詰まらせることを防止することができ、この濾過部材又はこの周囲が詰まった場合には、棒状部材とともに濾過部材を上下動させることにより、その詰まりを解消させることができる。
更に、膨出部をエルボ本体に形成してこの膨出部の周囲に排出孔を形成すれば、棒状部材を上下動させることにより掻き取られた木の葉等を排出孔からエルボ本体の外部に排出させることができ、掻き取られた木の葉等の詰まりものが下流側に存在する呼び樋等に流れてそれらを再び詰まらせることを回避することができる。この場合、キャップ状の閉塞部材がこの排出孔を封止可能に構成すれば、通常使用状態で雨水がこの排出孔から外部に漏れることを防止することができる。
【００１６】
一方、この棒状部材を上下動させる操作治具にあっては、棒状部材の下部に設けられた操作部に係合可能に構成された係合部材が上端に設けられた操作棒を備えることにより、その操作部に係合部材を係合させて集水箱下方の地上又は家屋の窓からその操作棒を上下動させることにより棒状部材を上下動させることができ、地上又は家屋の窓からその上方に存在する集水箱に係る詰まりを比較的容易に解消させることができる。この詰まりを解消させるために棒状部材を上下動させると、棒状部材を貫通させた挿通孔や、膨出部に形成された排出孔から雨水や木の葉等の詰まりものが外部に排出され、その全部又は一部が棒状部材を伝って下方に流下するけれども、操作棒と実際に作業員が把持する把持棒とを連結部材により連結し、その連結部材における操作棒側の一端を把持棒側の他端より低位にすることにより、棒状部材を伝って流下する雨水や落ち葉等の詰まりものが操作棒側に伝わることを禁止してその雨水等が作業員に降りかかることを有効に防止することができる。
【００１７】
更に、樋用エルボ部材の棒状部材を上昇させたときに棒状部材とともに上昇する濾過部材の濾過孔又は濾過用切欠き若しくは溝に進入可能な進入片を集水箱又は軒樋に取付ければ、濾過部材を上昇させることによりその濾過部材の濾過孔又は濾過用切欠き若しくは溝に進入片が進入し、その際に濾過部材を覆った木の葉等を破砕することができる。これによりその木の葉等が濾過部材における濾過孔又は濾過用切欠き若しくは溝を詰まらせた状態を解消することができる。
【発明を実施するための最良の形態】
【００１８】
次に本発明を実施するための最良の形態を図面に基づいて説明する。
図４に示すように、屋根１１の軒先にはその屋根１１に降って流下する雨水を集める軒樋１２が横架される。一方、その家の壁面にはその壁面に沿って鉛直に縦樋１３が設けられる。そして軒樋１２の任意の位置にはその軒樋１２に流下して集められた雨水をその縦樋１３に案内する集水箱１４が設けられる。集水箱１４の底部には排水口１４ｂが形成され、その排水口１４ｂには下方から本発明の樋用エルボ部材２０が取付けられる。この樋用エルボ部材２０は、集水箱１４の排水口１４ｂを下り勾配の呼び樋１６の上流側端部に連結するエルボ本体２１を有し、その呼び樋１６の下流側端部には一般的エルボ１７を介して縦樋１３の上端に連結される。そして、軒樋１２に流下して集められた雨水は集水箱１４からエルボ本体２１に流下し、そのエルボ本体２１から呼び樋１６及び一般的エルボ１７を介して縦樋１３に案内されるように構成される。
【００１９】
図１及び図３に示すように、集水箱１４は樹脂成形品であって、この集水箱１４の対向する両側面には軒樋１２が挿入可能な連通孔１４ａ，１４ａがそれぞれ形成され、この連通孔１４ａ，１４ａには集水箱１４の両側から軒樋１２の端部がそれぞれ挿入される。図１及び図２に示すように、本発明の樋用エルボ部材２０におけるエルボ本体２１は樹脂成形品であって、集水箱１４の底部に形成された排水口１４ｂに下方から取付けられる入口部２２と、下り勾配の呼び樋１６の上流側端部が取付けられる出口部２３と、入口部２２と出口部２３を連結する屈曲部２４とを有する。この実施の形態における集水箱１４の排水口１４ｂはいわゆる方形状で、その排水口１４ｂに取付けられるエルボ本体２１の入口部２２は、排水口１４ｂより僅かに大きな方形状に形成される。入口部２２を排水口１４ｂの外側に下方から嵌入させるとその入口部２２はその排水口１４ｂに外側から密着してその排水口１４ｂに取付け可能に構成される。また、エルボ本体２１の出口部２３もいわゆる方形状に形成され、その出口部２３に取付けられる呼び樋１６の上流側端部は、その開口形状が出口部２３より僅かに大きな方形状に形成される。そして、その上流側端部を出口部２３の外側に嵌入させて密着させることによりその上流側端部が出口部２３に取付けられるように構成される。
【００２０】
屈曲部２４は、入口部２２から出口部２３に向かって屈折する一対の側壁２４ａ，２４ａと、その一対の側壁２４ａ，２４ａの屈折方向の内側を塞ぐ内壁２４ｂと、その一対の側壁２４ａの屈折方向の外側を塞ぐ外壁２４ｃとを有する。具体的に、内壁２４ｂは一対の側壁２４ａの屈曲方向内側における縁と出口部２３の上縁とその上縁に対向する入口部２２の縁を塞ぐように板材を折り曲げたような形状に形成され、外壁２４ｃはその一対の側壁２４ａの屈曲方向外側における縁と出口部２３の下縁とその下縁に対向する入口部２２の縁を塞ぐように板材を折り曲げたような形状に形成される。このため、外壁２４ｃは入口部２２に臨む底壁２４ｄと出口部２３に臨む縦壁２４ｅとを備える。そしてこの入口部２２に臨む屈曲部２４の底壁２４ｄには、その入口部２２に向かって上方に向かう膨出部２６が形成される。
【００２１】
この実施の形態における膨出部２６は円錐台形状に形成され、この膨出部２６である円錐台形の上面の中央にはこの膨出部２６を貫通する挿通孔２４ｆ（図２）が形成される。この挿通孔２４ｆには棒状部材２７が挿通され、この棒状部材２７は上部が入口部２２を貫通するようにその膨出部２６に上下動可能に設けられる。この棒状部材２７は耐食性に良好なステンレス鋼棒であって、その下部には雄ねじ部２７ａが形成される。そしてこの棒状部材２７には膨出部２６を上側から覆うキャップ状の閉塞部材２８が取付けられる。この閉塞部材２８は耐食性に良好なステンレス鋼からなる板材を絞り加工することにより膨出部２６を上側から覆ってその膨出部２６に内面が密着するキャップ状に形成される。この閉塞部材２８の中央には通孔２８ａが形成され、その通孔２８ａに棒状部材２７が挿通されて閉塞部材２８が棒状部材２７に溶接され、その溶接により通孔２８ａと棒状部材２７との間の隙間が塞がれる。そして、膨出部２６の周囲には排出孔２６ｂが形成され、膨出部２６を上側から覆ったキャップ状の閉塞部材２８がその排出孔２６ｂも封止可能に構成される。この排出孔２６ｂはエルボ本体２１を成形加工する際にその膨出部２６に一体的に形成される。
【００２２】
図１及び図３に示すように、閉塞部材２８より上方の棒状部材２７には、周囲が入口部２２の内面又は排水口１４ｂの内面の近傍に至る掻き取り材２９が設けられる。この実施の形態における掻き取り材２９は入口部２２又は排水口１４ｂの内径より僅かに短い３本の鋼棒２９ａ，２９ｂ，２９ｃからなり、これらの鋼棒２９ａ，２９ｂ，２９ｃは上下方向に互いに所定の間隔を開けて棒状部材２７と直交するようにその中央が棒状部材２７に溶接される。３本の鋼棒２９ａ，２９ｂ，２９ｃは上方からみた場合に互いに概ね６０度の開きを持って放射状を形成するように棒状部材２７に溶接され、それらの端縁が入口部２２の内面又は排水口１４ｂの内面に近接するように棒状部材２７にそれぞれ溶接される。
図１及び図２に示すように、エルボ本体２１より下方の棒状部材２７の下部には、方形板からなる操作部３１が設けられる。この操作部は比較的厚肉の方形状の金属板により作られ、その金属板の中央には雌ねじ３１ａ（図２）が厚さ方向に貫通して形成される。この雌ねじ部３１ａを棒状部材２７の下部に形成された雄ねじ部２７ａに螺合し、この雄ねじ部２７ａに更にナット３２（図１）を螺合して操作部３１に当接させることにより、棒状部材２７の下部に方形板からなる操作部３１が固定されて設けられる。
【００２３】
このように構成された樋用エルボ部材２０では、エルボ本体２１に棒状部材２７を上下動可能に設けたので、このエルボ本体２１が下方から取付けられた集水箱１４が落ち葉等により詰まったとしても、その棒状部材２７を図１の実線矢印で示すように上下動させることにより、又は必要によりその棒状部材２７を傾動させ若しくは中心軸を中心として回転させることによりその詰まりものをエルボ本体２１の入口部２２及び集水箱１４の排水口１４ｂのそれぞれの内面から払い落とすことができる。これによりエルボ本体２１の入口部２２及び集水箱１４の排水口１４ｂにおける詰まりを解消させることができる。そしてこの棒状部材２７の上下動等はエルボ本体２１を貫通してエルボ本体２１の下方に位置する棒状部材２７の下端をその下方から上下動、又は傾動若しくは回転させることにより行うことができる。この結果、この樋用エルボ部材２０では、軒樋１２から集水箱１４にかかる落葉等による詰まりの解消をその集水箱１４の下方から行うことができる。
【００２４】
特にこの実施の形態では、周囲が入口部２２の内面又は排水口１４ｂの内面に臨む掻き取り材２９を棒状部材２７に設けたので、棒状部材２７を上下動させることによりその棒状部材２７に設けられた掻き取り材２９も上下動し、掻き取り材２９の周囲が入口部２２の内面又は排水口１４ｂの内面に付着凝固した木の葉等を確実に掻き取ってその入口部２２又は排水口１４ｂにおける詰まりを効果的に解消することができる。
また、膨出部２６の周囲に排出孔２６ｂを形成したので、棒状部材２７を上下動させることにより掻き取られた木の葉等の詰まりものをその排出孔２６ｂからエルボ本体２１の外部に排出させることができ、掻き取られた木の葉等の詰まりものが下流側に存在する呼び樋１６等に流れてそれらを再び詰まらせることを回避することができる。
一方、棒状部材２７を挿通させた挿通孔２４ｆ及び排出孔２６ｂは膨出部２６を覆うキャップ状の閉塞部材２８が封止するので、棒状部材２７を上下動させない通常状態において入口部２２から出口部２３に流れる雨水がこの挿通孔２４ｆや排出孔２６ｂから外部に漏れることを有効に防止することができる。
【００２５】
なお、上述した実施の形態では、３本の鋼棒２９ａ，２９ｂ，２９ｃからなる掻き取り材２９を説明したが、入口部２２の内面又は排水口１４ｂの内面に付着凝固した木の葉等を掻き取り可能である限り、その鋼棒は１本であっても、２本であって、又は４本以上であっても良い。また、この掻き取り材は樹脂成形品であっても良い。
【００２６】
図５〜図７に本発明の別の実施の形態を示す。図７に示すように、この実施の形態における軒樋１２は集水箱１４の連通孔１４ａ、１４ａを貫通して設けられ、軒樋１２の集水箱１４が包囲する部分には、屋根１１から軒樋１２に流下した雨水を集水箱１４に落下させるための通水口１２ａが形成される。図５〜図７に示すように、エルボ本体２１に貫通して設けられた棒状部材２７は上部がこの通水口１２ａを貫通する長さに形成され、この上部には上部雄ねじ部２７ｂが形成される。この上部雄ねじ部２７ｂには、一対のナット３２，３２が螺合され、通水口１２ａを塞ぐ濾過部材３３が一対のナット３２，３２により上下方向から挟持されてこの棒状部材２７の上部に取付けられる。
【００２７】
この実施の形態における濾過部材３３は樹脂成型品であり、棒状部材２７に嵌入可能な筒部３３ａとその筒部３３ａの周囲に放射状に形成されその外周が通水口１２ａの内面に近接する複数枚の放射板３３ｂとを備える。複数の放射板３３ｂは筒部３３ａを含む鉛直面に沿って形成され、その上縁は外周端が通水口１２ａの内面近傍にあって筒部３３ａに近づくに従って上昇するように形成され、その下縁は外周端が通水口１２ａの内面近傍にあって筒部３３ａに近づくに従って下降するような形状にそれぞれ形成される。そして、この濾過部材３３は、閉塞部材２８が膨出部２６を覆った状態で通水口１２ａ塞ぎ、一の放射板３３ｂとその一の放射板３３ｂに隣接する他の放射板３３ｂとの間の縦方向に延びる断面逆台形状の空間が濾過用溝を構成し、この溝の断面より大きな木の葉や竹の葉等がその通水口１２ａから集水箱１４に落下することを防止し、軒樋１２から通水口１２ａを介して集水箱１４に落下する雨水から木の葉等を除去してその雨水を濾過するように構成される。
【００２８】
このように構成された樋用エルボ部材では、濾過部材３３が通水口１２ａ塞いで軒樋１２から通水口１２ａを介して集水箱１４に落下する雨水を濾過するので、その雨水とともに流れてくる木の葉等が通水口１２ａから集水箱１４に落下することは防止され、その木の葉等により集水箱１４が詰まることを回避することができる。一方、この濾過部材３３又はその周囲が木の葉等により詰まって軒樋１２に雨水が溜まった場合には、棒状部材２７とともに濾過部材３３を上下動させ、図６に示すようにその通水口１２ａを一時的に開放して詰まった木の葉等を溜まった雨水とともに下流側に流下させることによりその詰まりを解消させることができる。この場合、詰まった木の葉等は、溜まった雨水とともに膨出部２６に形成された排出孔２６ｂからエルボ本体２１の外部に排出されるか、或いは溜まった雨水とともにエルボ本体２１から呼び樋１６及び一般的エルボ１７を介して縦樋１３に案内されてその下端から一度に排出されることになる。
【００２９】
また、この実施の形態では、濾過部材３３が棒状部材２７に嵌入可能な筒部３３ａとその筒部３３ａの周囲に放射状に形成された複数枚の放射板３３ｂとを備える樹脂成形品であるので、その製作も容易になり、雄ねじ部２７ｂに対するナット３２，３３の取付位置を変更することによりこの濾過部材３３を棒状部材２７に形成された雄ねじ部２７ｂにナット３２，３２により取付けるので、濾過部材３３の棒状部材２７に対する上下における取付け位置の調整も容易に行うことができる。
【００３０】
なお、上述した実施の形態では、屈曲部２４の入口部２２に臨む底壁２４ｄに上方に向かう膨出部２６を形成し、閉塞部材２８をこの膨出部２６を上側から覆うキャップ状に形成したが、閉塞部材２８は挿通孔２４ｆを上側から閉塞可能である限り、例えば球状に形成しても良い。図８に合成ゴム又は天然ゴムからなる球状の閉塞部材２８を棒状部材２７に取付けた例を示す。図８におけるエルボ本体２１の屈曲部２４の入口部２２に臨む底壁２４ｄには、その球状の閉塞部材２８を収容する半球部２４ｇが下方に突出して形成され、挿通孔２４ｆがこの半球部２４ｇに形成される。そして、球状の閉塞部材２８がこの半球部２４ｇに落とし込まれると挿通孔２４ｆをその閉塞部材２８が閉塞して入口部２２から出口部２３に流れる雨水が棒状部材２７を挿通させた挿通孔２４ｆから外部に漏れることを防止するように構成される。
【００３１】
また、球状の閉塞部材２８を用いる場合、この閉塞部材２８は挿通孔２４ｆを上側から閉塞可能である限り金属であっても良く、半球部２４ｇをあえて設けなくても良い。この場合には図９に示すように、屈曲部２４の入口部２２に臨む底壁２４ｄに比較的大きく形成された挿通孔２４ｆの孔縁に、その金属からなる球状の閉塞部材２８に当接して挿通孔２４ｆを閉塞する合成ゴム又は天然ゴム等の弾性体からなるパッキン３４を嵌着することが好ましい。
更に、上述した実施の形態では、入口部２２と出口部２３がそれぞれ方形状に形成されたいわゆる角形のエルボ本体２１を説明したが、エルボ本体２１は、入口部２２と出口部２３がそれぞれ円形に形成され、これらを連結する屈曲部２４は断面円形の筒を折り曲げたような形状を有するいわゆる丸形と呼ばれるものであっても良い。
【００３２】
次に、上述した構造の樋用エルボ部材の操作治具について説明する。
図４及び図１０に示すように、この操作治具４０は、上述した樋用エルボ部材２０の棒状部材２７を上下動させるものであって、中実又は中空の金属棒からなる操作棒４１と、中実又は中空の金属棒からなる把持棒４２と、金属板からなる連結棒４３を備える。操作棒４１は、エルボ本体２１を貫通して設けられた棒状部材２７の下部に設けられた操作部３１に係合可能に構成された係合部材４４が上端に設けられる。図１０に詳しく示すように、この実施の形態における係合部材４４は金属板をコ字状に折り曲げることにより形成され、その下板４４ａが操作棒４１の上端に溶接される。この係合部材４４には、その上板４４ｂに棒状部材２７が侵入可能な溝４４ｃが形成され、操作部３１を上板４４ｂと下板４４ａの間に挿入するとともに棒状部材２７を溝４４ｃに挿入すると、方形状に形成された操作部３１の一辺が係合部材４４の奥壁４４ｄに当接して操作部３１が回転不能に係合するように構成される。
【００３３】
図４に示すように、把持棒４２の下部には合成樹脂からなる取手が嵌入されて作業員がその手にこの棒を把持するための把持部４２ａが形成される。把持棒４２は内径の異なる複数の金属管４２ｂ，４２ｃ，４２ｄを順次嵌合して伸縮自在に構成され、把持部４２ａは最も外側の金属管４２ｂの下部に形成される。図１０に示すように、連結棒４３，４３は一対設けられ、一対の連結棒４３，４３のそれぞれの一端は操作棒４１の下部に上下方向に所定の間隔を開けて取付けられ、一対の連結棒４３，４３のそれぞれの他端は把持棒４２を構成する最も内側の金属管４２ｄの上部に上下方向に所定の間隔を開けて取付けられる。連結棒４３の端部には取付孔が形成され、この取付孔を介して連結棒４３の端部が操作棒４１及び把持棒４２にねじ手段４６により取付けられる。そして、このねじ手段４６におけるナット４６ａを弛めると操作棒４１及び把持棒４２に対する連結棒４３の回転が許容され、操作棒４１を把持棒４２に沿わせることが可能に構成される。
【００３４】
一方、連結棒４３には把持棒４２に対して連結棒４３が所定以上の回転することを禁止するストッパ部４３ａが形成され、ねじ手段４６におけるナット４６ａを弛めて操作棒４１を把持棒４２から引き離すように把持棒４２に対して連結棒４３を回転させるとそのストッパ部４３ａが把持棒４２に当接し、その状態でねじ手段４６におけるナット４６ａを締め付けると把持棒４２に対する連結棒４３の回転が禁止され、その連結棒４３の一端が他端より低位になるように連結棒４３は操作棒４１と把持棒４２とを連結する。ここで、下側の連結棒の操作棒４１側には長孔４３ｂ（図１０）が形成され、この長孔４３ｂをねじ手段４６が移動することにより操作棒４１を把持棒４２に対して傾斜可能に構成され、所望の傾斜が得られた状態でねじ手段４６におけるナット４６ａを締め付けると操作棒４１に対する連結棒４３の回転が禁止される。
【００３５】
このように構成された操作治具では、棒状部材２７の下部に設けられた操作部３１に係合部材４４を係合させて、把持棒４２の下部に形成された把持部４２ａを把持した作業員が集水箱１４下方の地上又は家屋の窓からその把持棒４２とともに操作棒４１を上下動させることにより樋用エルボ部材２０における棒状部材２７を上下動させることができる。これにより地上又は家屋の窓から作業員がその上方における集水箱１４における詰まりを比較的容易に解消させることができる。特に、操作部３１を係合部材４４の上板４４ｂと下板４４ａの間に挿入させるように棒状部材２７を溝４４ｃに挿入すると、方形状に形成された操作部３１の一辺が係合部材４４の奥壁４４ｄに当接して操作部３１が回転不能に係合するので、棒状部材２７を回転中心として把持棒４２とともに操作棒４１を回転させれば樋用エルボ部材２０における棒状部材２７も中心軸を回転中心として回転することになり、集水箱１４における詰まりをより確実に解消させることができる。
【００３６】
一方、詰まりを解消させるために棒状部材２７を上下動させると挿通孔２４ｆが開放され、その挿通孔２４ｆから、膨出部２６に排出孔２６ｂを形成した場合にはこの排出孔２６ｂから雨水や木の葉等の詰まりものが外部に排出され、その全部又は一部が棒状部材２７を伝って下方に流下することになる。しかし、この操作治具４０では、係合部材４４が上端に設けられた操作棒４１と、実際に作業員が把持する把持棒４２とを連結部材４３により連結し、その連結部材４３における操作棒４１側の一端を把持棒４２側の他端より低位にしたので、棒状部材２７を伝って流下する雨水や落ち葉等の詰まりものが操作棒４１に伝わったとしても、把持棒４２側に伝わることを防止することができる。この結果、この操作治具４０では、棒状部材２７を伝って流下する雨水や落ち葉等の詰まりものが把持棒４２を介して作業員に降りかかることを有効に防止することができる。
【００３７】
また、この操作治具では、操作棒４１及び把持棒４２への連結棒４３の取付けをねじ手段により行ったので、このねじ手段４６におけるナット４６ａを弛めて操作棒４１を把持棒４２に沿わせ、更に複数の金属管４２ｂ，４２ｃ，４２ｄからなる操作棒４２を縮めればその収納が容易になる。そして、実際の使用に際しては、ねじ手段４６におけるナット４６ａを弛めて操作棒４１を把持棒４２から引き離すように連結棒４３を回転させてナット４６ａを締め付け、更に複数の金属管４２ｂ，４２ｃ，４２ｄからなる操作棒４２を伸ばすことにより使用可能になる。このため、その収納及び使用を比較的容易に行うことができる。
【００３８】
なお、詰まりを解消させるために棒状部材２７を上下動させると、詰まった木の葉等は、溜まった雨水とともに膨出部２６に形成された排出孔２６ｂからエルボ本体２１の外部に排出されるか、或いは溜まった雨水とともにエルボ本体２１から呼び樋１６及び一般的エルボ１７を介して縦樋１３に案内されてその下端から一度に排出されることになる。このため、この詰まりの解消は雨天時において軒樋１２にある程度の雨水が溜まった状態で行うことが好ましく、軒樋１２に雨水が溜まっていない場合には、水道水を軒樋１２に送り込みながら棒状部材２７を上下動させ、掻き取られた木の葉等をその水とともにエルボ本体２１から呼び樋１６及び一般的エルボ１７を介して縦樋１３の下端から確実に排出させることが好ましい。
【００３９】
次に、上述した構造の樋用エルボ部材を用いた集水装置について説明する。
図１１及び図１２に示すように、この集水装置６０は、軒樋１２に設けられる上述した集水箱１４と、その集水箱１４に下方から取付けられた前述の樋用エルボ部材２０とを備えるものである。樋用エルボ部材２０は、集水箱１４が包囲する軒樋１２に形成された通水口１２ａを塞ぐ濾過部材３３が棒状部材２７の上部に設けられたものであって、その特徴ある構成は、樋用エルボ部材２０の濾過部材３３に上方から対向するように詰まり解消部材６１が集水箱１４に取付けられたところにある。この詰まり解消部材６１は樋用エルボ部材２０の棒状部材２７を上昇させたときにその棒状部材２７とともに上昇する濾過部材３３の濾過孔又は濾過用切欠き若しくは溝に進入可能な進入片６２を有する。
【００４０】
図１３および図１４に示すように、この実施の形態における濾過部材３３は樹脂成型品であり、棒状部材２７に嵌入可能な筒部３３ａとその筒部３３ａの周囲に放射状に形成されその外周が通水口１２ａの内面に近接する複数枚の放射板３３ｂとを備える。そして、この濾過部材３３は、閉塞部材２８が膨出部２６を覆った状態で通水口１２ａ塞ぎ、一の放射板３３ｂとそれに隣接する他の放射板３３ｂとの間の縦方向に延びる溝であって筒部３３ａを底辺とする断面逆台形状の空間が濾過用溝を構成し、その濾過用溝の逆台形状の断面より大きな木の葉や竹の葉等がその通水口１２ａから集水箱１４に落下することを防止し、軒樋１２から通水口１２ａを介して集水箱１４に落下する雨水を濾過するように構成される。
【００４１】
一方、この実施の形態における詰まり解消部材６１は、進入片６２が溶接される回転板６３と、その回転板６３が枢支された固定板６４と、その固定板６４に溶接された２本の固定棒６６，６６を備える。回転板６３と固定板６４は中央にそれぞれ中央孔６３ａ，６４ａが形成されたステンレス鋼からなる円板であって、それぞれの中央孔６３ａ，６４ａがリベット６７により枢支されて回転板６３が固定板６４に枢支される。リベット６７は棒状部材２７の上部が挿通可能な内径を有し、棒状部材２７はこのリベット６７にその上端が挿通可能な長さに形成される。固定板６４に溶接された２本の固定棒６６，６６はその両端がクランク状に折り曲げられ、集水箱１４の上端開口部の両側部には架設孔１４ｃ，１４ｃ（図１１）が対向してそれぞれ形成される。２本の固定棒６６，６６は集水箱１４の弾性により広げられた相対向する架設孔１４ｃ，１４ｃの間に挿入され、その後その両端を架設孔１４ｃ，１４ｃに挿入させ、その後弾性により集水箱１４の上端開口部を復元させて相対向する架設孔１４ｃ，１４ｃを元の間隔に戻することにより架設可能に構成される。
【００４２】
図１１に示すように、進入片６２は濾過部材３３が通水口１２ａを塞いだ状態で濾過部材３３から離間し、図１２に示すように棒状部材２７を上昇させたときにその棒状部材２７とともに上昇する濾過部材３３の濾過用溝に進入可能に構成される。図１３および図１４に示すように、この実施の形態における進入片６２は、ステンレス鋼鈑の折り曲げられた両端により構成され、ステンレス鋼鈑はその両端が放射板３３ｂに沿うように折り曲げられてその両端により進入片６２が形成される。両端が折り曲げられたステンレス鋼鈑の中央は回転板６３に抵抗溶接され、これにより進入片６２が回転板６３に溶接される。図１１及び図１４に示すように、この進入片６２には、濾過部材３３が通水口１２ａを塞いだ状態で濾過部材３３における一の放射板３３ｂとそれに隣接する他の放射板３３ｂとの間に位置する位置決め部６２ｂが形成される。
【００４３】
図１２に示すように進入片６２は、棒状部材２７を上昇させたときにその棒状部材２７とともに上昇する濾過部材３３の濾過用溝に進入し、その溝を木の葉等が塞いでいた場合にはその木の葉等を破砕してその溝を開放可能に構成される。一方、図１１に示すように、進入片６２は濾過部材３３が通水口１２ａを塞いだ状態で濾過部材３３から離間するけれども、位置決め部６２ｂは、濾過部材３３が通水口１２ａを塞いだ状態で濾過部材３３における一の放射板３３ｂとそれに隣接する他の放射板３３ｂとの間に位置し、濾過部材３３が棒状部材２７を回転中心として回転しても、濾過部材３３とともに回転板６３を回転させ、常に進入片６２を濾過部材３３における濾過用溝に沿わせるように構成される。回転板６３の回転は進入片６２とともにリベット６７を中心として回転し、このリベット６７に棒状部材２７の上端が挿通させることにより進入片６２を濾過部材３３と同軸に回転させることができるように構成される。
【００４４】
このように構成された集水装置６０では、濾過部材３３又はその周囲が木の葉等により詰まって軒樋１２に雨水が溜まった場合には、棒状部材２７とともに濾過部材３３を上昇させて軒樋１２に形成された通水口１２ａを一時的に開放することにより詰まった木の葉等を溜まった雨水とともに下流側に流下させることができる。この場合、濾過部材３３を覆った木の葉等は、濾過部材３３が上昇してその濾過部材３３の濾過用溝に進入片６２が進入する際に破砕される。これによりその木の葉等が濾過部材３３における濾過用溝を詰まらせた状態は解消される。一方、破砕された木の葉等は軒樋１２に溜まった雨水とともに開放された通水口１２ａから集水箱１４に落下して軒樋用エルボ部材２０に至り、その膨出部２６に形成された排出孔２６ｂからエルボ本体２１の外部に排出されるか、或いは溜まった雨水とともにエルボ本体２１から呼び樋１６及び一般的エルボ１７を介して縦樋１３に案内されてその下端から一度に排出される。このときその木の葉等は既に破砕されているため、開放された通水口１２ａから落下した木の葉等が、その下流側に存在するエルボ本体２１や呼び樋１６を再び詰まらせることはない。
【００４５】
なお、上述した実施の形態では、濾過部材３３が棒状部材２７に嵌入可能な筒部３３ａとその筒部３３ａの周囲に放射状に形成された複数枚の放射板３３ｂとを備える樹脂成形品からなる場合を説明したが、図１５〜図１７に示すように、濾過部材７３は板状のものであってもよい。この濾過部材７３は鋼鈑を円板状に打ち抜き加工することにより作られ、長円状の濾過孔７３ａが複数形成される。この軒樋１２は底が平らに形成されたいわゆる角型であり、この平板状の濾過部材７３はこのような角型といわれる軒樋１２に用いる場合に特に有効である。
【００４６】
この場合における進入片７２は、図１５〜図１７に示すようにステンレス鋼鈑をＬ字状に折り曲げることにより構成され、その一方の片が進入片７２を構成し、その進入片７２が濾過孔７３ａに挿入するように他方の片が回転板６３に抵抗溶接される。進入片７２は、棒状部材２７を上昇させたときにその棒状部材２７とともに上昇する濾過部材７３の濾過孔７３ａに進入し、その孔７３ａを木の葉等が塞いでいた場合にはその木の葉等を破砕してその孔７３ａを開放可能に構成される。複数の進入片７２は濾過部材７３が通水口１２ａを塞いだ状態で濾過部材７３から離間するけれども、その内の一部（図では２個）は、濾過部材７３が通水口１２ａを塞いだ状態で濾過部材７３における濾過孔７３ａに挿入状態で維持され、濾過部材７３が棒状部材２７を回転中心として回転しても、濾過部材７３とともに回転板６３を回転させ、常に進入片７２を濾過部材７３における濾過孔７３ａに対抗させるように構成される。
【００４７】
このような濾過部材７３を有する集水装置６０であっても、濾過部材７３又はその周囲が木の葉等により詰まって軒樋１２に雨水が溜まった場合には、棒状部材２７とともに濾過部材７３を上昇させて軒樋１２に形成された通水口１２ａを一時的に開放することにより詰まった木の葉等を溜まった雨水とともに下流側に流下させることができる。この場合、濾過部材７３を覆った木の葉等は、濾過部材７３が上昇し、濾過部材７３の濾過孔７３ａに進入片７２が進入する際に破砕される。これによりその木の葉等が濾過部材７３における濾過孔７３ａを詰まらせた状態を解消することができる。
【００４８】
また、濾過部材７３が板状のものである場合、図１８に示すように、濾過部材７３に濾過孔７３ａとともに又は濾過孔７３ａを形成することなく濾過用切欠き７３ｂを形成し、樋用エルボ部材２０の棒状部材２７を上昇させたときにその棒状部材２７とともに上昇する濾過部材７３の濾過用切欠き７３ｂに進入可能に進入片７２を集水箱１４に取付けても良い。また、進入片７２は、図１８に示すように、回転板６３の一部を折り曲げることによりその回転板６３に一体的に形成しても良く、複数の進入片７２が溶接又は一体的に形成された回転板６３を固定板６４を介さずに直接集水箱１４又は軒樋１２に取付けるようにしても良い。
【００４９】
また、上述した実施の形態では、集水箱１４とエルボ本体２１が別々に作られた場合を説明したが、集水箱１４とエルボ本体２１を一体的に成型しても良い。また、固定棒６６を固定板６４に一体的に形成しても良く、回転板６３を回転させる必要がない場合にはその固定棒６６を回転板６３自体に一体的に形成するようにしても良い。
更に、上述した実施の形態では、進入片６２，７２が詰まり解消部材６１の一部として集水箱１４に取付けられた場合を説明したが、図示しないが、架設孔を軒樋１２に形成し、その軒樋１２に形成された架設孔に固定棒６６，６６の両端を挿入することにより詰まり解消部材６１とともに進入片６２，７２を軒樋１２に取付けても良い。
【図面の簡単な説明】
【００５０】
【図１】本発明実施形態の樋用エルボ部材を示す図３のＡ−Ａ線断面図である。
【図２】その樋用エルボ部材の一部を切り欠いた斜視図である。
【図３】その樋用エルボ部材が下方から取付けられた集水箱を上方から見た図である。
【図４】その樋用エルボ部材が設けられた家屋の側面図である。
【図５】濾過部材が棒状部材の上部に設けられた別の実施形態の樋用エルボ部材を示す図１に対応する断面図である。
【図６】その濾過部材が棒状部材とともに上方に持ち上げられた状態を示す図５に対応する断面図である。
【図７】その濾過部材を有する樋用エルボ部材が下方から取付けられた集水箱を上方から見た図である。
【図８】球状の閉塞部材が半球部に収容されて挿通孔を閉塞した状態を示す図１に対応する断面図である。
【図９】球状の閉塞部材がパッキンが嵌着された挿通孔を閉塞した状態を示す図１に対応する断面図である。
【図１０】操作治具の上部の構造を示す拡大斜視図である。
【図１１】濾過部材に上方から対向する進入片が集水箱に設けられた集水装置を示す図５に対応する断面図である。
【図１２】その濾過部材が棒状部材とともに上方に持ち上げられた状態を示す図１１に対応する断面図である。
【図１３】その集水装置を示す図１１のＢ−Ｂ線断面図である。
【図１４】その集水装置における進入片の取付け構造を示す斜視図である。
【図１５】板状の濾過部材を有する集水装置を示す図１１に対応する断面図である。
【図１６】その濾過部材が棒状部材とともに上方に持ち上げられた状態を示す図１５に対応する断面図である。
【図１７】その板状の濾過部材を有する集水装置の分解斜視図である。
【図１８】その板状の濾過部材に濾過用切欠きが形成された図１７に対応する斜視図である。
【符号の説明】
【００５１】
１２  軒樋
１２ａ  通水口
１４  集水箱
１４ｂ  排水口
１６  呼び樋
２０  樋用エルボ部材
２１  エルボ本体
２２  入口部
２３  出口部
２４  屈曲部
２４ｆ  挿通孔
２６  膨出部
２６ｂ  排出孔
２７  棒状部材
２８  閉塞部材
２９  掻き取り材
３１  操作部
３３，７３  濾過部材
４０  操作治具
４１  操作棒
４２  把持棒
４２ａ  把持部
４３  連結部材
４４  係合部材
６１  集水装置
６２，７２  進入片
７３ａ  濾過孔
７３ｂ  濾過用切欠き
【図１】
2006169944.tif 000003
【図２】
2006169944.tif 000004
【図３】
2006169944.tif 000005
【図４】
2006169944.tif 000006
【図５】
2006169944.tif 000007
【図６】
2006169944.tif 000008
【図７】
2006169944.tif 000009
【図８】
2006169944.tif 000010
【図９】
2006169944.tif 000011
【図１０】
2006169944.tif 000012
【図１１】
2006169944.tif 000013
【図１２】
2006169944.tif 000014
【図１３】
2006169944.tif 000015
【図１４】
2006169944.tif 000016
【図１５】
2006169944.tif 000017
【図１６】
2006169944.tif 000018
【図１７】
2006169944.tif 000019
【図１８】
2006169944.tif 000020